(57)【要約】【課題】手検知乾燥装置において、手の検知時のノイズによる不動作等の検知ミスを防ぐことを目的としている。【解決手段】信号調節手段としてマイコン４において、信号発信回路３を介して赤外線ＬＥＤ１から出力する信号フォーマットと、検知回路５を介して受光ＩＣ２から入力した信号フォーマットの比較を行い、信号フォーマットが一致しないと判定したときに、マイコン４によって、信号発信回路３を介して赤外線ＬＥＤ１から出力する信号のフォーマットを変えることができることを特徴する。【選択図】図１
2010246581.tif 000002
【特許請求の範囲】
【請求項１】
機器内に、手を検知するための検知手段と、手に当てるための風を送る送風手段と、前記送風手段から手に風を当てる吹き出し部と、前記検知手段で手を検知したときに前記送風手段を動作させる風量制御手段を備えた手検知乾燥装置において、前記検知手段が、手の侵入を検知するための検知信号を発信するための検知信号発信手段と、前記検知信号発信手段を検知するための検知信号受信手段と、前記検知信号発信手段から出力する信号を制御するための発信信号制御手段と、前記発信信号制御手段の出す信号を調節するための信号調節手段と、前記検知信号受信手段で受信した信号を制御する検知信号制御手段を備え、前記信号調節手段によって、発信信号制御手段を介して検知信号発信手段から出力する信号のフォーマットを変えることができることを特徴とした、手検知乾燥装置。
【請求項２】
前記信号調節手段において、前記発信信号制御手段を介して前記検知信号発信手段から出力する信号フォーマットと、検知信号制御手段を介して前記検知信号受信手段から入力した信号フォーマットの比較を行い、信号フォーマットが一致しないと判定したときに、前記信号調整手段によって前記発信信号制御手段から前記検知信号発信手段に送る信号のフォーマットを変えることができることを特徴とした、請求項１記載の手検知乾燥装置。
【請求項３】
機器内に、複数個の前記検知信号発信手段と、複数個の前記検知信号受信手段を備え、それぞれから発信する信号フォーマットを異なる信号フォーマットとすることを特徴とした、請求項１記載の手検知乾燥装置。
【請求項４】
前記発振信号制御手段によって、複数の前記検知信号発信手段から出力する信号フォーマットをそれぞれ個々に変更できることを特徴とした、請求項３記載の手検知乾燥装置。
【請求項５】
複数の前記検知信号受信手段のうちいずれかからノイズが侵入したと前記信号調節手段が検知すると、前記発振信号制御手段を介して複数の前記検知信号発信手段から出力する信号フォーマットを変えることができることを特徴とした、請求項３記載の手検知乾燥装置。
【請求項６】
機器内に、前記発振信号制御手段によって、前記検知信号発信手段から出力する信号フォーマットを記憶することができる記憶装置を備え、信号フォーマットを変更した履歴を記憶することを特徴とした、請求項２記載の手検知乾燥装置。
【請求項７】
前記発振信号制御手段によって、前記検知信号発信手段から出力する信号フォーマットを変更後、変更前の信号フォーマットを使用しないことを特徴とした、請求項６記載の手検知乾燥装置。
【請求項８】
前記発振信号制御手段によって、複数の前記検知信号発信手段から出力する信号フォーマットを変更するときに、信号周波数を変える事を特徴とした、請求項２記載の手検知乾燥装置。
【請求項９】
前記発振信号制御手段によって、複数の前記検知信号発信手段から出力する信号フォーマットを変更するときに、信号のパルス数を変えることを特徴とした、請求項２記載の手検知乾燥装置。
【請求項１０】
前記検知信号受信手段で受信した信号を前記検知信号制御手段から前記信号調節手段に入力し、前記信号調節手段で信号波形を読み込む回数を変えることを特徴とした、請求項２記載の手検知乾燥装置。
【請求項１１】
前記発振信号制御手段によって、前記検知信号発信手段から出力する信号波形のトータル電力が一定になるように、信号を変えることを特徴とした、請求項２記載の手検知乾燥装置。
【請求項１２】
前記検知信号発信手段から送信した信号を前記検知信号受信手段で複数回連続で受信できた場合は、前記信号調節手段が前記検知信号発信手段から出力する信号間隔を長くすることを特徴とした、請求項２記載の手検知乾燥装置。
【発明の詳細な説明】
【技術分野】
【０００１】
本発明は、手検知乾燥装置に関する。
【背景技術】
【０００２】
従来、この種の手検知乾燥装置では、赤外線による手検知を行う為、赤外線に近い波長の光が検知部に侵入してきた場合、赤外線の信号との区別ができず、検知動作ができなくなるという課題があった。（例えば特許文献１参照）。
【０００３】
以下、手検知乾燥装置について図１１を参照にしながら説明する。
【０００４】
図１１において、手乾燥装置は、正面に開放し、背面側にくぼんだ凹状空間として構成された手挿入部１００を有し、この手挿入部１００に挿入された手を赤外線発光素子１０１と赤外線受光素子１０２による手検知部により検知して、高圧空気流発生装置を動作させ、高速空気流に変換して前記手挿入部１００内に噴射し、手に付着した水分を吹き飛ばして手を乾燥させていた。
【特許文献１】特開２００５−１７７１５１号公報
【発明の開示】
【発明が解決しようとする課題】
【０００５】
このような従来の手検知乾燥装置では、手検知をする為のセンサー部にノイズが侵入したとき、誤検知による動作や、動作しないなど機器の性能に支障がでるという課題があった。
【０００６】
また、使用環境下でのノイズは様々であり、出荷時に信号フォーマットを決めて使用環境下への対応ができないという課題があった。
【０００７】
また、全てのノイズを誤認識しない信号フォーマットを見けることが困難であるという課題があった。
【０００８】
また、複数の検知信号受信手段のそれぞれの配置箇所によってノイズの種類が異なる可能性があるという課題があった。
【０００９】
また、使用環境がノイズが侵入しやすい環境下どうかが事前に分からず、発振信号制御手段によって、前記検知信号発信手段から出力する信号フォーマットを変えて最適な信号にするまで時間がかかるという課題があった。
【００１０】
また、電源が切られた場合、最適な信号波形を再度設定しなくてはならないという課題があった。
【００１１】
また、信号波形を可変していく過程で、信号フォーマットの選択がループしてしまい最適な信号が見つからないことがあるという課題があった。
【００１２】
また、信号幅だけ変えても最適な信号にならない場合があるという課題があった。
【００１３】
また、信号幅を長くすると、待機電力があがるという課題があった。
【００１４】
また、常時検知信号を出していると待機電力が上がるという課題があった。
【００１５】
本発明は、上記従来の課題を解決するのもで、手検知をする為のセンサー部にノイズが侵入したときも正常に動作し、使用環境下での様々なノイズに対して設置箇所で対応ができ、多くのノイズに対してノイズによる誤認識を回避でき、検知信号受信手段の配置箇所によるノイズによる誤認識を回避でき、使用環境下がどのようなノイズ信号が多いかを短時間で判断でき、電源が切られたときも最適な信号フォーマットを記憶でき、信号を可変する際に可変する信号フォーマットのループを回避でき、信号幅以外での信号フォーマットの最適化ができ、待機電力を上げずに信号フォーマットを変えることができる手検知乾燥装置を提供できることを目的としている。
【課題を解決するための手段】
【００１６】
本発明の手検知乾燥装置は上記目的を達成するために、機器内に、手を検知するための検知手段と、手に当てるための風を送る送風手段と、送風手段から手に風を当てる吹き出し部と、検知手段で手を検知したときに送風手段を動作させる風量制御手段を備えた手検知乾燥装置において、検知手段が、手の侵入を検知するための検知信号を発信するための検知信号発信手段と、検知信号発信手段を検知するための検知信号受信手段と、検知信号発信手段から出力する信号を制御するための発信信号制御手段と、発信信号制御手段の出す信号を調節するための信号調節手段と、検知信号受信手段で受信した信号を制御する検知信号制御手段を備え、信号調節手段によって、発信信号制御手段を介して検知信号発信手段から出力する信号のフォーマットを変えることができる構成としたものである。
【００１７】
この手段により、検知信号波形を変えて、ノイズに対して誤検知や、動作しないなどの現象を軽減することができる。
【００１８】
また、他の手段は、信号調節手段において、発信信号制御手段を介して検知信号発信手段から出力する信号フォーマットと、検知信号制御手段を介して検知信号受信手段から入力した信号フォーマットの比較を行い、信号フォーマットが一致しないと判定したときに、信号調整手段によって発信信号制御手段から検知信号発信手段に送る信号のフォーマットを変えることができる構成としたものである。
【００１９】
この手段により、使用環境で発生するノイズに対しての対応を、設置後に自動で行うことができる。
【００２０】
また、他の手段は、機器内に、複数個の前記検知信号発信手段と、複数個の検知信号受信手段を備え、それぞれから発信する信号フォーマットを異なる信号フォーマットとする構成としたものである。
【００２１】
この手段により、複数の検知信号受信手段のうち、ノイズによって動作しないものがあっても、他の検知信号受信手段によって動作させることができる。
【００２２】
また、他の手段は、発振信号制御手段によって、複数の検知信号発信手段から出力する信号フォーマットをそれぞれ個々に変更できる構成としたものである。
【００２３】
この手段により、個々の検知信号受信手段ごとでノイズに対して誤検知や、動作しないなどの現象を軽減することができる。
【００２４】
また、他の手段は、複数の検知信号受信手段のうちいずれかからノイズが侵入したと信号調節手段が検知すると、発振信号制御手段を介して複数の検知信号発信手段から出力する信号フォーマットを変えることができる構成としたものである。
【００２５】
この手段により、設置して短時間で使用環境のノイズに対して誤検知や、動作しないなどの現象を軽減することができる。
【００２６】
また、他の手段は、機器内に、発振信号制御手段によって、検知信号発信手段から出力する信号フォーマットを記憶することができる記憶装置を備え、信号フォーマットを変更した履歴を記憶する構成としたものである。
【００２７】
この手段により、電源が切られてもすぐに使用環境のノイズに対して誤検知や、動作しないなどの現象を軽減することができる。
【００２８】
また、他の手段は、発振信号制御手段によって、検知信号発信手段から出力する信号フォーマットを変更後、変更前の信号フォーマットを使用しない構成としたものである。
【００２９】
この手段により、短時間で効率的に使用環境のノイズに対して誤検知や、動作しないなどの現象を軽減することができる。
【００３０】
また、他の手段は、発振信号制御手段によって、複数の検知信号発信手段から出力する信号フォーマットを変更するときに、信号周波数を変える構成としたものである。
【００３１】
この手段により、複雑な波形のノイズに対して誤検知や、動作しないなどの現象を軽減することができる。
【００３２】
また、他の手段は、発振信号制御手段によって、複数の検知信号発信手段から出力する信号フォーマットを変更するときに、信号のパルス数を変える構成としたものである。
【００３３】
この手段により、複雑な波形のノイズに対して誤検知や、動作しないなどの現象を軽減することができる。
【００３４】
また、他の手段は、検知信号受信手段で受信した信号を検知信号制御手段から信号調節手段に入力し、信号調節手段で信号波形を読み込む回数を変える構成としたものである。
【００３５】
この手段により、複雑な波形のノイズに対して誤検知や、動作しないなどの現象を軽減することができる。
【００３６】
また、他の手段は、発振信号制御手段によって、検知信号発信手段から出力する信号波形のトータル電力が一定になるように、信号を変える構成としたものである。
【００３７】
この手段により、待機電力を上げることなく使用環境のノイズに対して誤検知や、動作しないなどの現象を軽減することができる。
【００３８】
また、他の手段は、検知信号発信手段から送信した信号を検知信号受信手段で複数回連続で受信できた場合は、信号調節手段が検知信号発信手段から出力する信号間隔を長くする構成としたものである。
【００３９】
この手段により、長時間使用しない際の待機電力を下げることができる。
【発明の効果】
【００４０】
本発明によれば、誤動作や不動作などの発生を軽減し、機器の性能を発揮することができる手検知乾燥装置を得ることができる。
【００４１】
また、使用環境に合わせて、誤動作や不動作などの発生を軽減し、機器の性能を発揮することができる手検知乾燥装置を得ることができる。
【００４２】
また、設置後短時間で、誤動作や不動作などの発生を軽減し、機器の性能を発揮することができる手検知乾燥装置を得ることができる。
【００４３】
また、待機電力を上げずに、誤動作や不動作などの発生を軽減し、機器の性能を発揮することができる手検知乾燥装置を得ることができる。
【００４４】
また、待機電力を下げることができる手検知乾燥装置を得ることができる。
【発明を実施するための最良の形態】
【００４５】
本発明の請求項１の発明は、機器内に、手を検知するための検知手段と、手に当てるための風を送る送風手段と、送風手段から手に風を当てる吹き出し部と、検知手段で手を検知したときに送風手段を動作させる風量制御手段を備えた手検知乾燥装置において、検知手段が、手の侵入を検知するための検知信号を発信するための検知信号発信手段と、検知信号発信手段を検知するための検知信号受信手段と、検知信号発信手段から出力する信号を制御するための発信信号制御手段と、発信信号制御手段の出す信号を調節するための信号調節手段と、検知信号受信手段で受信した信号を制御する検知信号制御手段を備え、信号調節手段によって、発信信号制御手段を介して検知信号発信手段から出力する信号のフォーマットを変えることができる構成としたものであり、検知信号波形を変えて、ノイズに対して誤検知や、動作しないなどの現象を軽減することができるという作用を有する。
【００４６】
本発明の請求項２の発明は、信号調節手段において、発信信号制御手段を介して検知信号発信手段から出力する信号フォーマットと、検知信号制御手段を介して検知信号受信手段から入力した信号フォーマットの比較を行い、信号フォーマットが一致しないと判定したときに、信号調整手段によって発信信号制御手段から検知信号発信手段に送る信号のフォーマットを変えることができる構成としたものであり、使用環境で発生するノイズに対しての対応を、設置後に自動で行うことができるという作用を有する。
【００４７】
本発明の請求項３の発明は、機器内に、複数個の前記検知信号発信手段と、複数個の検知信号受信手段を備え、それぞれから発信する信号フォーマットを異なる信号フォーマットとする構成としたものであり、複数の検知信号受信手段のうち、ノイズによって動作しないものがあっても、他の検知信号受信手段によって動作させることができるという作用を有する。
【００４８】
本発明の請求項４の発明は、発振信号制御手段によって、複数の検知信号発信手段から出力する信号フォーマットをそれぞれ個々に変更できる構成としたものであり、個々の検知信号受信手段ごとでノイズに対して誤検知や、動作しないなどの現象を軽減することができるという作用を有する。
【００４９】
本発明の請求項５の発明は、複数の検知信号受信手段のうちいずれかからノイズが侵入したと信号調節手段が検知すると、発振信号制御手段を介して複数の検知信号発信手段から出力する信号フォーマットを変えることができる構成としたものであり、設置して短時間で使用環境のノイズに対して誤検知や、動作しないなどの現象を軽減することができるという作用を有する。
【００５０】
本発明の請求項６の発明は、機器内に、発振信号制御手段によって、検知信号発信手段から出力する信号フォーマットを記憶することができる記憶装置を備え、信号フォーマットを変更した履歴を記憶する構成としたものであり、電源が切られてもすぐに使用環境のノイズに対して誤検知や、動作しないなどの現象を軽減することができるという作用を有する。
【００５１】
本発明の請求項７の発明は、発振信号制御手段によって、検知信号発信手段から出力する信号フォーマットを変更後、変更前の信号フォーマットを使用しない構成としたものであり、短時間で効率的に使用環境のノイズに対して誤検知や、動作しないなどの現象を軽減することができるという作用を有する。
【００５２】
本発明の請求項８の発明は、発振信号制御手段によって、複数の検知信号発信手段から出力する信号フォーマットを変更するときに、信号周波数を変える構成としたものであり、複雑な波形のノイズに対して誤検知や、動作しないなどの現象を軽減することができるという作用を有する。
【００５３】
本発明の請求項９の発明は、発振信号制御手段によって、複数の検知信号発信手段から出力する信号フォーマットを変更するときに、信号のパルス数を変える構成としたものであり、複雑な波形のノイズに対して誤検知や、動作しないなどの現象を軽減することができるという作用を有する。
【００５４】
本発明の請求項１０の発明は、検知信号受信手段で受信した信号を検知信号制御手段から信号調節手段に入力し、信号調節手段で信号波形を読み込む回数を変える構成としたものであり、複雑な波形のノイズに対して誤検知や、動作しないなどの現象を軽減することができるという作用を有する。
【００５５】
本発明の請求項１１の発明は、発振信号制御手段によって、検知信号発信手段から出力する信号波形のトータル電力が一定になるように、信号を変える構成としたものであり、待機電力を上げることなく使用環境のノイズに対して誤検知や、動作しないなどの現象を軽減することができるという作用を有する。
【００５６】
本発明の請求項１２の発明は、検知信号発信手段から送信した信号を検知信号受信手段で複数回連続で受信できた場合は、信号調節手段が検知信号発信手段から出力する信号間隔を長くする構成としたものであり、長時間使用しない際の待機電力を下げることができるという作用を有する。
【００５７】
以下、本発明の実施の形態について図面を参照しながら説明する。
【００５８】
（実施の形態１）
図１に示すように、機器内に、手の侵入を検知するための検知信号を発信するための検知信号発信手段としての赤外線ＬＥＤ１、検知信号発信手段を検知するための検知信号受信手段としての受光ＩＣ２、赤外線ＬＥＤ１から出力する信号を制御するための発信信号制御手段としての信号発信回路３、信号発信回路３から赤外線ＬＥＤ１への信号を可変できるマイコン４、受光ＩＣ２で受信した信号を制御する検知信号制御手段としての検知回路５、手に風を当てるために風を送る送風手段としてのファンモーター６、ファンモーター６から手に風を当てる吹き出し部としてのノズル７、ファンモーター６を信号の入力によって制御するためのファン駆動回路８と、マイコンに信号の可変を指示するためのボリュームスイッチ９を構成する。
【００５９】
上記構成において、信号発信回路３から赤外線ＬＥＤ１によって送信信号が出ることによって、受光ＩＣ２が送信信号を受信し、受信した信号を検知回路５からマイコン４に伝わり、マイコン４で送信信号フォーマットと受信信号フォーマットが同一であることを認識することで、待機状態を維持している。手検知乾燥装置に手が侵入して、赤外線ＬＥＤ１から出ている信号が手によって塞がれて受光ＩＣ２に届かなくなると、マイコン４が手が侵入したと認識し、ファン駆動回路８へ動作信号を送り、ファンモーター６が動作することによって、ノズル７から風が吹出し、手を乾燥する。
【００６０】
しかし、待機状態において図２に示すようにノイズによって赤外線ＬＥＤ１で発信している発信信号と受光ＩＣ２で受信した受信信号が異なる波形になる場合がある。この場合、赤外線ＬＥＤ１から信号を発信していない状態でもノイズにより受光ＩＣ２が受信を検知しているため、信号の種類によっては赤外線ＬＥＤ１からの信号が塞がれているにも関わらず受光ＩＣ２が検知をしてしまい、ファンモーター６が動作しないケースが発生してしまう。
【００６１】
ここで、ノイズによって検知できず、ファンモーターが動作しないケースが発生したとき、ボリュームスイッチ９によって信号を可変し、動作する信号幅に変えることができる。
【００６２】
例えば、１ｍｓ（ＯＮ）、２０ｍｓ（ＯＦＦ）の信号を赤外線ＬＥＤ１から発信しているとき、受光ＩＣ２で受信した信号が、検知回路５を介してマイコン４に入力され、マイコン４が０．２ｍｓ毎に信号受信の判定し、ＯＮのタイミングで３回不一致の場合に手が塞がれたと認識してファン駆動回路８へファンモーター６の動作信号を送るとする。このとき、０．６ｍｓのノイズが受光ＩＣに入ってきた場合、手で塞がれたとしてもノイズにより３回不一致にならない場合がある。そこで、ボリュームスイッチによってＯＮの信号幅を１ｍｓ⇒２ｍｓに変えることで０．６ｍｓのノイズが侵入してきたとしても３回不一致の認識は可能になり、動作しない現象を防ぐことができる。
【００６３】
なお本実施の形態では、検知信号発信手段として赤外線ＬＥＤ１、検知信号受信手段として受光ＩＣ２、発信信号制御手段として信号発信回路３、信号調節手段としてマイコン４、検知信号制御手段として検知回路５、送風手段としてファンモーター６、吹出し部としてノズル７、風量制御手段としてファン駆動回路８、マイコンに信号の可変を指示するためのボリュームスイッチ９を用いたが、同様の作用効果が得られるものであればこれに限るものではない。
【００６４】
また、信号幅を１ｍｓ（ＯＮ）、２０ｍｓ（ＯＦＦ）、マイコン４で手が塞がれたと認識することを０．２ｍｓ毎に信号受信の判定し、ＯＮのタイミングで３回不一致するとしたが、同様の作用効果が得られるものであればこれに限るものではない。
【００６５】
（実施の形態２）
次に、本発明の実施の形態２について図面を参照しながら説明する。なお、実施の形態１と同一のものは同一番号を付し、その詳細な説明を省略する。
【００６６】
図３に示すように、赤外線ＬＥＤ１で発信した信号を受光ＩＣ２で受信し、マイコン４で送信信号のフォーマットと受信信号のフォーマットをマイコン４で比較をする。比較した結果異なる場合はノイズを検知したと認識する。ここで赤外線ＬＥＤ１から発信する信号の周期をＴｓ、ノイズの周期をＴｎとすると、
Ｔｓ＞Ｔｎ×Ｐ  （Ｐは定数）
の場合は、ノイズによる影響が少ないと判断し、Ｔｓはそのままとする。しかし、上記式に当てはまらない場合は、ノイズによって検知できなくならう場合が想定されるため、上記式になるまで信号発信回路３によってＴｓを変える。
【００６７】
例えば、１ｍｓ（ＯＮ）、２０ｍｓ（ＯＦＦ）の信号を赤外線ＬＥＤ１から発信しているとき、受光ＩＣ２で受信した信号が、検知回路５を介してマイコン４に入力され、マイコン４が０．２ｍｓ毎に信号受信の判定し、ＯＮのタイミングで３回不一致の場合に手が塞がれたと認識してファン駆動回路８へファンモーター６の動作信号を送るとする。このとき、０．６ｍｓのノイズが受光ＩＣに入ってきた場合、手で塞がれたとしてもノイズにより３回不一致にならない場合がある。そのため、Ｐ＝３として上記式を満たすまでマイコン４によって、信号発信回路３から赤外線ＬＥＤ１に送る信号幅を変えることでノイズが侵入してきたとしても３回不一致の条件を満たすことができ、動作しなくなる現象を防ぐことができる。
【００６８】
また、信号幅を１ｍｓ（ＯＮ）、２０ｍｓ（ＯＦＦ）、マイコン４で手が塞がれたと認識することを０．２ｍｓ毎に信号受信の判定し、ＯＮのタイミングで３回不一致するとしたが、同様の作用効果が得られるものであればこれに限るものではない。
【００６９】
なお本実施の形態では、上記式の定数をＰ＝３としたが、同様の作用効果が得られるものであればこれに限るものではない。
【００７０】
（実施の形態３）
次に、本発明の実施の形態３について図面を参照しながら説明する。なお、実施の形態１と同一のものは同一番号を付し、その詳細な説明を省略する。
【００７１】
図４に示すように、検知信号発信手段としての赤外線ＬＥＤ１ａ〜１ｄ、検知信号受信手段としての受光ＩＣ２ａ〜２ｄを構成し、赤外線ＬＥＤ１ａ〜１ｄはそれぞれ、マイコン４から信号を制御するための発信信号制御手段としての信号発信回路３ａ〜３ｄを介して信号を出力し、受光ＩＣ２ａ〜２ｄはそれぞれ、受信した信号を制御する検知信号制御手段としての検知回路５ａ〜５ｄからマイコン４に伝わる構成とする。
【００７２】
上記構成において、図５に示すように、マイコン４から信号発信回路３ａ〜３ｄを介して赤外線ＬＥＤ１ａ〜１ｄから出力する信号幅をそれぞれ異なるようにマイコン４が制御する。
【００７３】
例えば、赤外線ＬＥＤ１ａから出力する信号幅を１ｍｓ、赤外線ＬＥＤ１ｂから出力する信号幅を１．３ｍｓ、赤外線ＬＥＤ１ｃから出力する信号幅を１．６ｍｓ、赤外線ＬＥＤ１ｄから出力する信号幅を１．９ｍｓとし、受光ＩＣ２ａ〜２ｄのいずれかがノイズにより動作しにくくなっていても、他のいずれかは正常に動作することができる。
【００７４】
なお本実施の形態では、赤外線ＬＥＤ１ａから出力する信号幅を１ｍｓ、赤外線ＬＥＤ１ｂから出力する信号幅を１．３ｍｓ、赤外線ＬＥＤ１ｃから出力する信号幅を１．６ｍｓ、赤外線ＬＥＤ１ｄから出力する信号幅を１．９ｍｓとしたが、同様の作用効果が得られるものであればこれに限るものではない。
【００７５】
また、受光ＩＣ２ａ〜２ｄのいずれかからノイズが侵入していたとき、検知回路５ａ〜５ｄを介してマイコン４が、ノイズが侵入してきたと判断した受光ＩＣに対応する赤外線ＬＥＤのみ信号を変える。
【００７６】
例えば、受光ＩＣ２ａ〜２ｃにはノイズの侵入がなく、受光ＩＣ２ｄのみノイズの侵入があると検知回路５ｄを介してマイコン４が認識したとする。マイコン４は信号発信回路３ｄを介して赤外線ＬＥＤ１ｄから出る信号を実施の形態２に示す手法によって変更する。
【００７７】
また、受光ＩＣ２ａ〜２ｄのいずれかからノイズが侵入していたとき、検知回路５ａ〜５ｄを介してマイコン４が、信号発信回路３ａ〜３ｄを介して赤外線ＬＥＤ１ａ〜１ｄから出る信号を実施の形態２に示す手法によって変更する。
【００７８】
例えば、受光ＩＣ２ａ〜２ｃにはノイズの侵入がなく、受光ＩＣ２ｄのみノイズの侵入があると検知回路５ｄを介してマイコン４が認識したとする。マイコン４は、信号発信回路３ａ〜３ｄを介して赤外線ＬＥＤ１ａ〜１ｄから出る信号全てを
Ｔｓ＞Ｔｎ×Ｐ  （Ｐは定数）
を満足するように個々に変更していく。つまり、上記式を満足しない信号が、赤外線ＬＥＤ１ｃおよび赤外線ＬＥＤ１ｄから出力する信号である場合は、赤外線ＬＥＤ１ｃおよび赤外線ＬＥＤ１ｄから出力する信号を上記式を満足するように変更をする。
【００７９】
（実施の形態４）
次に、本発明の実施の形態４について図面を参照しながら説明する。なお、実施の形態１と同一のものは同一番号を付し、その詳細な説明を省略する。
【００８０】
図６に示すように、記憶手段としてのＥＥＰＲＯＭ１０を構成する。
【００８１】
ノイズの侵入などによって、マイコン４が信号発信回路３を介して赤外線ＬＥＤ１から出る信号のフォーマットを変えたとき、ＥＥＰＲＯＭ１０に変更後の信号のフォーマットを記憶し、起動時にＥＥＰＲＯＭ１０で記憶した信号フォーマットで手検知を行う。
【００８２】
例えば、信号幅を１ｍｓから２ｍｓへと変更後、電源が切断された場合、信号幅を変えた際に信号幅２ｍｓの信号フォーマットをマイコン４からＥＥＰＲＯＭ１０に記憶される。電源が切断されて、復帰後マイコン４はＥＥＰＲＯＭ１０から信号フォーマットを読み出し、復帰直後から信号幅２ｍｓの信号フォーマットで手検知を行う。
【００８３】
なお、信号幅を１ｍｓおよび２ｍｓとしたが、同様の作用効果が得られるものであればこれに限るものではない。
【００８４】
また、ノイズの侵入などによって、マイコン４が信号発信回路３を介して赤外線ＬＥＤ１から出る信号のフォーマットを変えたとき、変えた信号フォーマットの履歴を記憶することで、過去に使用していた信号フォーマットにはしない。
【００８５】
例えば、信号フォーマットＡから信号フォーマットＢに変更し、再び信号フォーマットＡが適切であるとマイコン４が判断したとすると、信号フォーマットＡと信号フォーマットＢのループになる恐れがあるため、信号フォーマットＡを選択肢から無くし、信号フォーマットＣになるように変更する。信号フォーマットＣとなった後は再びＥＥＰＲＯＭ１０に記憶されて、信号フォーマットＣにも次回の変更の際には選択肢から外す。
【００８６】
（実施の形態５）
次に、本発明の実施の形態５について図面を参照しながら説明する。なお、実施の形態１と同一のものは同一番号を付し、その詳細な説明を省略する。
【００８７】
赤外線ＬＥＤ１で発信した信号を受光ＩＣ２で受信し、マイコン４で送信信号と受信信号とを比較をする。比較した結果異なる場合はノイズを検知したと認識する。ノイズを検知したと認識したとき、ノイズに周期性がある場合は、ノイズの周期を検知回路５からマイコン４に伝わる信号から計算し、ノイズの周期に同期しないような周波数で信号発信回路３から赤外線ＬＥＤ１に信号を出力する。周期性の無い場合は、ランダムで周波数を変更する。
【００８８】
例えば、図７に示すように、１ｍｓ（ＯＮ）、２０ｍｓ（ＯＦＦ）の信号を赤外線ＬＥＤ１から発信しているとき、５０Ｈｚの周波数で受光ＩＣ２から検知回路５を介してマイコン４にノイズが侵入しているとすると、赤外線ＬＥＤ１の出力信号が５０Ｈｚに同期してしまう可能性があるため、ＯＦＦ時間を２０ｍｓから１５ｍｓへ変更して周波数を変える。このようにして、仮に赤外線ＬＥＤ１の信号がノイズと重なって、検知ができなかったとしても、次の周期では重ならないため、検知することが可能になり、動作しなくなる現象を防ぐことができる。
【００８９】
なお、信号幅を１ｍｓ（ＯＮ）、２０ｍｓ（ＯＦＦ）、変更後の時間を１５ｍｓ（ＯＦＦ）としたが、同様の作用効果が得られるものであればこれに限るものではない。
【００９０】
（実施の形態６）
次に、本発明の実施の形態６について図面を参照しながら説明する。なお、実施の形態１と同一のものは同一番号を付し、その詳細な説明を省略する。
【００９１】
赤外線ＬＥＤ１で発信した信号を受光ＩＣ２で受信し、マイコン４で送信信号フォーマットと受信信号フォーマットを比較をする。比較した結果異なる場合はノイズを検知したと認識する。ノイズを検知したと認識したとき、マイコン４が検知したノイズ幅が長いときはノイズ幅より長い信号幅にすることが困難であるため、信号の数を複数個に変更する。
【００９２】
例えば、図８に示すように、１ｍｓ（ＯＮ）、２０ｍｓ（ＯＦＦ）の信号を赤外線ＬＥＤ１から発信しているとき、２ｍｓの信号幅で受光ＩＣ２から検知回路５を介してマイコン４にノイズが侵入しているとすると、赤外線ＬＥＤ１の出力信号をノイズと区別するためには２ｍｓに対して充分大きい信号幅にしなくてはならず困難なため、信号の数を１個から２個に変更する。このようにして、仮に赤外線ＬＥＤ１の信号がノイズと重なって、検知ができなかったとしても、次の信号で検知することが可能になり、動作しなくなる現象を防ぐことができる。
【００９３】
なお、信号幅を１ｍｓ（ＯＮ）、２０ｍｓ（ＯＦＦ）、信号数１個から２個としたが、同様の作用効果が得られるものであればこれに限るものではない。
【００９４】
（実施の形態７）
次に、本発明の実施の形態７について図面を参照しながら説明する。なお、実施の形態１と同一のものは同一番号を付し、その詳細な説明を省略する。
【００９５】
赤外線ＬＥＤ１で発信した信号を受光ＩＣ２で受信し、マイコン４で送信信号と受信信号とを比較をする。比較した結果異なる場合はノイズを検知したと認識する。ノイズを検知したと認識したとき、マイコン４が検知したノイズ幅が短いときは、マイコン４が検知回路５から伝わってきた信号を読み込む回数が少ないと、偶然ノイズを読み込んでしまった場合ノイズと区別が付かない場合がある。そのため、ノイズ幅が短いノイズを検知したとき、検知回路５から伝わってきた信号をマイコン４が読み込む回数を変更する。
【００９６】
例えば、図９に示すように、１ｍｓの幅の信号に対して、ノイズ幅が０．１ｍｓであった場合、検知回路５からの信号をマイコン４が信号幅１ｍｍの間の読み込み回数を２回⇒３回に変更する。このようにして、仮に赤外線ＬＥＤ１の信号がノイズと重なって、検知ができなかったとしても、次の読み込み時に検知することが可能になり、動作しなくなる現象を防ぐことができる。
【００９７】
なお、信号幅を１ｍｓ、読み込み回数を２回、３回としたが、同様の作用効果が得られるものであればこれに限るものではない。
【００９８】
（実施の形態８）
次に、本発明の実施の形態８について図面を参照しながら説明する。なお、実施の形態１と同一のものは同一番号を付し、その詳細な説明を省略する。
【００９９】
赤外線ＬＥＤ１で発信した信号を受光ＩＣ２で受信し、マイコン４で送信信号と受信信号とを比較をする。比較した結果異なる場合はノイズを検知したと認識する。ノイズを検知したと認識したとき、図１０に示すように、ノイズ幅を変えた場合は、信号の周期も同様に変えて、信号発信に消費する電力値が変わらないようにする。
【０１００】
例えば、信号幅をＴ１（ＯＮ）、Ｔ２（ＯＦＦ）とし、変更後の信号幅をＴ３（ＯＮ）、Ｔ４（ＯＦＦ）としたとき、Ｔ１からＴ２に変更したとき、Ｔ１／Ｔ２＝Ｔ３／Ｔ４となるようにＴ４も変更する。
【０１０１】
また、手検知が長時間なく、赤外線ＬＥＤ１からの信号を受光ＩＣ２が連続して検知したとマイコン４が認識し、ノイズを検知していないときは、Ｔ１／Ｔ２＞Ｔ１／Ｔ４となるようにＴ２をＴ４に変更することで、待機電力を下げる。
【産業上の利用可能性】
【０１０２】
無線信号を使用した機器の検知手段。
【図面の簡単な説明】
【０１０３】
【図１】本発明の実施の形態１の手検知乾燥装置の構成を示す概略図
【図２】本発明の実施の形態１の手検知乾燥装置の信号の内容を示す概略図
【図３】本発明の実施の形態２の手検知乾燥装置の信号制御の体系を示す概略図
【図４】本発明の実施の形態３の手検知乾燥装置の構成を示す概略図
【図５】本発明の実施の形態３の手検知乾燥装置の信号の内容を示す概略図
【図６】本発明の実施の形態４の手検知乾燥装置の構成を示す概略図
【図７】本発明の実施の形態５の手検知乾燥装置の信号の内容を示す概略図
【図８】本発明の実施の形態６の手検知乾燥装置の信号の内容を示す概略図
【図９】本発明の実施の形態７の手検知乾燥装置の信号の内容を示す概略図
【図１０】本発明の実施の形態８の手検知乾燥装置の信号の内容を示す概略図
【図１１】従来の手検知乾燥装置の構成を示す概略図
【符号の説明】
【０１０４】
１      赤外線ＬＥＤ
２      受光ＩＣ
３      信号発信回路
４      マイコン
５      検知回路
６      ファンモーター
７      ノズル
８      ファン駆動回路
９      ボリュームスイッチ
１０    ＥＥＰＲＯＭ
１００  手挿入部
１０１  赤外線発光素子
１０２  赤外線受光素子
【図１】
2010246581.tif 000003
【図２】
2010246581.tif 000004
【図３】
2010246581.tif 000005
【図４】
2010246581.tif 000006
【図５】
2010246581.tif 000007
【図６】
2010246581.tif 000008
【図７】
2010246581.tif 000009
【図８】
2010246581.tif 000010
【図９】
2010246581.tif 000011
【図１０】
2010246581.tif 000012
【図１１】
2010246581.tif 000013